(57)【要約】【課題】床下点検、物品収納などの使用態様に応じて、蓋体を大きくまたは小さく開いてその状態で保持できる床下収納装置を提供する。【解決手段】床下収納装置１は、床面９に設けた開口部３の端面に取り付けられた枠体２と、その開口部３を塞ぐ蓋体５と、この蓋体５を枠体２でヒンジ結合し、床面９の上方側で回動可能とした回動開閉機構２０と、蓋体５の裏面側に取り付けられ、蓋体５の自由端部側に収納口１１を有した収納部材１０と、蓋体５を床面９に対し所定の鋭角角度に開いた状態で保持する保持部３１と、所定の鋭角角度よりも大きい、人が床下に入れる角度に開いた状態で蓋体５を保持する第二保持部３２とを備えている。【選択図】図１
2015203183.tif 000002
【特許請求の範囲】
【請求項１】
床面に設けた開口部に取り付けられた枠体と、その開口部を塞ぐ蓋体と、この蓋体を前記枠体でヒンジ結合し、前記床面の上方側で回動可能とした回動開閉機構と、前記蓋体の裏面側に取り付けられ、前記蓋体の自由端部側に収納口を有した収納部材と、前記蓋体を前記床面に対し所定の鋭角角度に開いた状態で保持する保持部と、前記所定の鋭角角度よりも大きい、人が床下に入れる角度に開いた状態で前記蓋体を保持する第二保持部とを備えたことを特徴とする床下収納装置。
【請求項２】
請求項１において、
前記第二保持部は、前記蓋体を９０度を越えない角度で保持するようになっている、床下収納装置。
【請求項３】
請求項１または２において、
前記保持部は、前記収納部材の収納口の下端と、前記枠体の表面との高さ位置と略同一となるように前記蓋体を保持するようになっている、床下収納装置。
【請求項４】
請求項１〜３のいずれか１項おいて、
前記回動開閉機構は、前記開口部の一辺縁側の前記枠体に前記蓋体を回動自在に結合した回動軸部と、その枠体に隣接する枠体に配したガイド溝部と、一端が前記蓋体に固定され、他端が前記ガイド溝部に沿って移動するアームとを備えている、床下収納装置。
【発明の詳細な説明】
【技術分野】
【０００１】
本発明は、床面の開口部に設けた蓋体の裏面側に収納部材を取り付けてなる床下収納装置に関する。
【背景技術】
【０００２】
従来には、床面に形成された開口部に回動開閉自在に蓋体を取り付けてなる床下収納装置が種々提案されている（たとえば、特許文献１参照）。
【０００３】
特許文献１に記載された床下収納装置は、物品収納のための箱状の収納容器を開口部の下方に配した構造となっている。この開口部の枠体にはヒンジ結合された蓋体が取り付けてあり、その蓋体の裏面には小物類を収納できる収納部材が設けてある。
【先行技術文献】
【特許文献】
【０００４】
【特許文献１】特開２００７−５６４５７号公報
【発明の概要】
【発明が解決しようとする課題】
【０００５】
ところで、この種の床下収納装置では、収納スペースへの出し入れをしやすくするために、蓋体を直立あるいはそれ以上の大きな角度に開いた状態で保持されるようになっている。
【０００６】
また、床下収納装置としては、床下点検用の開口部を利用したものもある。このような装置は、人が開口部より床下に楽に入れるように、蓋体を大きく開いて保持できるようになっている。
【０００７】
このような床下点検用の開口部を利用した床下収納装置では、蓋体の裏面に収納部材を取り付けることで収納スペースが形成されているものもある。そのような収納部材に物品を出し入れするためには蓋体を大きく開く必要はなく、３０度ほどに小さく開くだけでよい。大きく開けば取り出しにくくなるばかりか、点検用の開口部より床下に落下するおそれもある。
【０００８】
また、特許文献１の床下収納装置のように小物入れのための収納スペースが蓋体の裏面に形成されたものでも、その収納スペースへ物品を出し入れする際には、蓋体を大きく開く必要はない。
【０００９】
本発明は、このような事情を考慮して提案されたもので、その目的は、床下点検、物品収納などの使用態様に応じて、蓋体を大きくまたは小さく開いてそれぞれ状態で保持できる床下収納装置を提供することにある。
【課題を解決するための手段】
【００１０】
上記目的を達成するために、本発明の床下収納装置は、床面に設けた開口部に取り付けられた枠体と、その開口部を塞ぐ蓋体と、この蓋体を枠体でヒンジ結合し、床面の上方側で回動可能とした回動開閉機構と、蓋体の裏面側に取り付けられ、蓋体の自由端部側に収納口を有した収納部材と、蓋体を床面に対し所定の鋭角角度に開いた状態で保持する保持部と、所定の鋭角角度よりも大きい、人が床下に入れる角度に開いた状態で蓋体を保持する第二保持部とを備えたことを特徴とする。
【発明の効果】
【００１１】
本発明の床下収納装置によれば、上述した構成となっているため、使用態様に応じて、蓋体を大きくまたは小さく開いてそれぞれの状態で保持することができる。
【図面の簡単な説明】
【００１２】
【図１】本発明の一実施形態に係る床下収納装置の説明図であり、（ａ）は蓋体が閉じた状態の斜視図、（ｂ）は蓋体が所定の鋭角角度で保持された状態の斜視図である。
【図２】（ａ）は床下収納装置の使用（物品収納）態様の一例を示した斜視図、（ｂ）は床下収納装置の使用（床下点検）態様の他の例を示した斜視図である。
【図３】（ａ）は回動開閉機構に用いられるガイド溝部（プレート）の正面図、（ｂ）は（ａ）のＸ−Ｘ線断面図である。
【図４】（ａ）、（ｂ）は蓋体の２種の保持位置を示した床下収納装置の概略縦断面図である。
【発明を実施するための形態】
【００１３】
以下に、本発明の実施の形態について、添付図面を参照して説明する。まず、図１〜図４に例示した実施形態に係る床下収納装置の概略の構成について説明する。
【００１４】
この床下収納装置１は、床面９に設けた開口部３に取り付けられた枠体２と、その開口部３を塞ぐ蓋体５と、この蓋体５を枠体２でヒンジ結合し、床面９の上方側で回動可能とした回動開閉機構２０とを備えている。
【００１５】
また、この床下収納装置１はさらに、蓋体５の裏面側に取り付けられ、蓋体５の自由端部側に収納口１１を有した収納部材１０と、蓋体５を２種の状態で保持する保持部３１、第二保持部と３２を備えている。
【００１６】
保持部３１は、蓋体５を床面９に対し所定の鋭角角度ｗ１（図４参照）に開いた状態で保持し、第二保持部３２は、所定の鋭角角度ｗ１よりも大きい、人が床下に入れる角度ｗ２に開いた状態で蓋体５を保持するようになっている。
【００１７】
ついで、この床下収納装置１の詳細の構成、構造について、図１〜図４を参照しながら説明する。
【００１８】
床下収納装置１は、屋内のキッチン等の床面９に設けた矩形状の開口部３に取り付けられた収納装置である。開口部３の四周の端面には枠体２が取り付けられている（図１（ａ）等参照）。
【００１９】
この枠体２には、開口部３を塞ぐ蓋体５が開閉自在にヒンジ結合されている（図１（ａ）、（ｂ）等参照）。具体的には、蓋体５は矩形の板状体であり、その一辺縁の端部が枠体２の一辺縁にヒンジ結合されている。このように蓋体５は枠体２にヒンジ結合されているため、開口部３の上方側で回動可能とされ、さらに所定の２種の角度に開いた状態で保持されるようになっている。蓋体５の回動および所定位置での保持を担う回動開閉機構２０については後述する。
【００２０】
蓋体５の表面の自由端部側には取っ手５ａが設けられている（図１（ａ）参照）。また、枠体２の蓋体５の自由端部に対応した部位には段部２ａ（図１には不図示。図４参照）が形成され、蓋体５が閉じた状態では、その段部２ａが蓋体５の端部を下方より支持するようになっている。このような段部２ａは、枠体２の他の辺縁部にも形成するようにしてもよい。
【００２１】
この床下収納装置１は、図１等に示すように、蓋体５の裏面側に取り付けた、内部に収納空間を有した収納部材１０に物品を収納できるようになっている。
【００２２】
また、床面に設けた開口部３は床下点検用の開口でもあり、開口部３の枠体２の下方に物品収納用の収納容器が連設されておらず、人が開口部３より床下に降り、そこから床下の種々の方向に移動できるようになっている。つまり、この床下収納装置１は簡易型の収納装置であり、蓋体５の裏面に設けた収納部材１０へ小物、書類などを収納できる構成となっている。
【００２３】
収納部材１０は、蓋体５の自由端部側に物品を出し入れするための収納口１１を有している（図２（ａ）参照）。また、この収納口１１には下方に回動させて開く蓋１３が設けられている。この収納部材１０には、たとえば複数の小物入れ用の収納かごを用いて小物を小分けして収納するようにすれば使い勝手がよい。
【００２４】
この床下収納装置１は、上述したように、収納部材１０への物品の出し入れと、床下点検のための人の出入りとに利用される。収納部材１０内への物品の出し入れの際には、蓋体５を小さな角度で開き収納口１１が鋭角方向を向いた状態にして、なるべく低い位置で物品を出し入れできるようになっている（図２（ａ）参照）。
【００２５】
また、床下点検のために人が開口部３から床下に出入りする場合は、蓋体５を大きく開いた状態にすることで開口部３が大きく開放されて、人の出入りがしやすくなっている（図２（ｂ）参照）。そして、蓋体５の物品収納用と点検用のそれぞれの開位置で、回動開閉機構２０により蓋体５が保持されるようになっている。
【００２６】
回動開閉機構２０は、枠体２の一辺縁に蓋体５を回動自在に結合した回動軸部２１と、その辺縁に隣接する辺縁に配したガイド溝部２２と、一端が蓋体５に固定され他端がガイド溝部２２に沿って移動するアーム２５とを備えている（図１等参照）。
【００２７】
本実施形態の例では、回動軸部２１は蝶番で構成されている（図１（ｂ）参照）。ガイド溝部２２は、誘導路２３付きのプレートで構成され、枠体２の端面に取り付けられている。アーム２５はこの誘導路２３に沿って移動する。本例ではプレートおよびアーム２５は蓋体５の両側に設けられているが、一方のみに取り付けられた構成であってもよい。
【００２８】
図３（ａ）、（ｂ）に示すように、誘導路２３はプレートに設けた挿通開口で形成されており、裏面側の開口には段差２３ｄが設けられ、表面側の開口よりも幅広となっている。
【００２９】
アーム２５の一端は蓋体５に対し回動自在に連結され、他端には誘導路２３に装着され誘導路２３を移動する突部２５ａ（図３（ｂ）参照）が形成されている。この突部２５ａの先端には、突部２５ａを誘導路２３に挿入してから裏面側より取り付けるようにした円盤状の抜け止め部２５ｂが装着されている。この抜け止め部２５ｂは、プレートの裏面側の開口の段差２３ｄを底部とした凹部に収容されている。こうして、アーム２５の他端（突部２５ａ）は、外れることなく誘導路２３に沿って移動できるようになっている。
【００３０】
この誘導路２３は、図３（ａ）に示すように、回動軸側より遠ざかるにしたがい下降する傾斜路２３ａと、その傾斜路２３ａの中央部より下方に分岐した第１縦路２３ｂと、傾斜路２３ａの回動軸側の端部より下方に分岐した第２縦路２３ｃとよりなる。なお、対向する枠体２の一辺縁に設けた他のプレートには、図３（ａ）に示した誘導路２３と鏡像関係にある誘導路が形成されている。
【００３１】
図３（ａ）には、誘導路２３における突部２５ａの停止または通過する各位置Ａ〜Ｅを付しており、これを参照しながら説明する。
【００３２】
傾斜路２３ａは、蓋体５の回動にともなって、アーム２５の突部２５ａが終点位置Ａ、Ｂ間を直線的に移動するように形成されている。
【００３３】
突部２５ａがＡ位置にあるときは蓋体５が閉じた状態にあり、Ｂ位置にあるときは蓋体５がやや開いた状態（図４（ａ）の２点鎖線の位置）にあり、Ｃ位置にあるときは蓋体５がさらに開いた状態（図４（ｂ）の２点鎖線の位置）にある。
【００３４】
つぎに、アーム２５と、プレートの第１縦路２３ｂ、第２縦路２３ｃとの協働による蓋体５の２種の保持について説明する。
【００３５】
（保持部３１よる保持）
突部２５ａが誘導路２３のＢ位置より第１縦路２３ｂに入ると、突部２５ａが下方に移動するにしたがい蓋体５は少しずつ閉じていく。突部２５ａがＤ位置に到達したときに、蓋体５は床面９に対し所定の鋭角角度ｗ１に開いた状態（以下、収納位置という）で停止する（図２（ａ）および図４（ａ）参照）。つまり、アーム２５の突部２５ａがプレートの第１縦路２３ｂの下方終点（Ｄ位置）に停止することで、回動開閉機構２０は、蓋体５を床面９に対し所定の鋭角角度ｗ１に開いた状態で保持する保持部３１として作用する。なお、このような保持部３１による蓋体５の保持を解除させる場合には、蓋体５を持ち上げ、アーム２５の突部２５ａを第１縦路２３ｂから傾斜路２３ａに移動させればよい。
【００３６】
このように蓋体５は収納位置で保持されることで、利用者は手を離しても蓋体５は開いた状態に保持され、その状態で収納部材１０の蓋１３を開いて、物品を収納部材１０内に出し入れすることができる。このときの所定の鋭角角度ｗ１は、物品の出し入れのしやすさを考慮して、物品を入れた収納かごなどを収納部材１０の底部１２の内底面を滑らせながら収納できる角度である１５度〜３０度とすることが望ましい。なお、この鋭角角度ｗ１は、収納部材１０の厚み（蓋体裏面から収納部材の裏面までの距離）によって適切な数値が定められる。
【００３７】
また、収納位置では、図４（ａ）に示すように、収納部材１０の収納口１１の下端と、枠体２の表面との高さ位置を略同一とすることが、安全性の点で望ましい。つまり、このような位置関係とすれば、収納部材１０が蓋体５と枠体２との間にできる上下方向の空間を塞ぐことになるため、人の開口部３への進入のじゃまになり、人、特に乳幼児の開口部３からの落下を防止することができる。
【００３８】
本実施形態の例では、蓋体５の回動による収納部材１０の底部１２と枠体２との接触を防止するために、収納部材１０の底部１２の先端を奥方（回動軸側）に後退させている。このようにすれば、収納部材１０の収納口１１（蓋１３）の高さ寸法が広がるため、人の進入を効果的に防止することができる。
【００３９】
また、蓋体５が収納位置にあるときには、図４（ａ）に示すように横方向の隙間ができるが、この隙間の寸法ｓ１を１５ｃｍ以下にすることで人の落下を防止することができる。さらに、この収納位置では、収納部材１０の蓋１３を開き床面９に垂らしておけば横方向の隙間を隠すことができるので、さらなる安全を図ることができる。また、収納部材１０の収納口１１の下端と、枠体２の表面との高さ位置が略同一であることともあいまって、手指の挟み込みを防止することもできる。
【００４０】
（第二保持部３２による保持）
突部２５ａが誘導路２３のＣ位置より第２縦路２３ｃに入ると、突部２５ａが下方に移動するにしたがい蓋体５は少しずつ閉じていく。突部２５ａがＥ位置に到達したときに蓋体５は床面９に対し所定の角度ｗ２に開いた状態（以下、点検位置という）で停止する（図２（ｂ）および図４（ｂ）参照）。つまり、アーム２５の突部２５ａがプレートの第２縦路２３ｃの下方終点（Ｅ位置）に停止することで、回動開閉機構２０は、蓋体５を床面９に対し所定の角度ｗ２に開いた状態で保持する第二保持部３２として作用する。なお、このような第二保持部３２による蓋体５の保持を解除させる場合には、蓋体５を持ち上げ、アーム２５の突部２５ａを第２縦路２３ｃから傾斜路２３ａに移動させればよい。
【００４１】
このときの所定の角度ｗ２は、蓋体５の収納位置での所定の鋭角角度ｗ１（図４（ａ）参照）よりも大きく、かつ人が入れる角度とすればよい。本例では、図４（ｂ）のように、蓋体５が直立した約９０度の開き度合いとなっている。第二保持部３２は蓋体を９０度を越えない角度で保持することが望ましい。９０度を超える角度で蓋体５を保持するようにしてもよいが、収納部材１０内の物品の天地が逆になるため、物品を収納させたままでも支障のない、９０度を超えない角度で保持することが望ましい。
【００４２】
このように蓋体５がほぼ直立した状態で保持されるので、開口部３には人が入れる程度の大きさの開口ができ、利用者は楽に開口部３より床下に入ることができる。人の床下への出入りのしやすさを考慮すれば、図４（ｂ）における開口の寸法ｓ２は３０ｃｍ以上とすることが望ましい。
【００４３】
このように、人の床下への出入りのしやすさは開口の寸法ｓ２によるところが大きく、この寸法ｓ２を適切な値にするために、蓋体５の寸法、収納部材１０の厚み（蓋体裏面から収納部材の裏面までの距離）、点検位置の所定の角度を調整すればよい。
【００４４】
以上のように、保持部３１と第二保持部３２のそれぞれの作用により、蓋体５は収納位置と点検位置のそれぞれで停止、保持されるので、床下収納装置１の２通りの使い分けがしやすく、しかも安全に使用することができる。
【００４５】
以上には点検用にも使用できる床下収納装置１を例示したが、上述した回動開閉機構２０は、開口部３の下方に収納容器を設置した床下収納装置にも適用が可能である。収納容器を備えた床下収納装置１の場合でも、上述したような２種の位置で蓋体５が保持されるようにすれば、収納容器に物品を出し入れする際に蓋体５を点検位置に開くことで、収納容器への物品の出し入れを楽に行うことができる。
【符号の説明】
【００４６】
１          床下収納装置
２          枠体
３          開口部
５          蓋体
９          床面
１０        収納部材
１１        収納口
２０        回動開閉機構
２１        回動軸部（蝶番）
２２        ガイド溝部（プレート）
２５        アーム
３１        保持部
３２        第二保持部
【図１】
2015203183.tif 000003
【図２】
2015203183.tif 000004
【図３】
2015203183.tif 000005
【図４】
2015203183.tif 000006